(57)【要約】  【課題】  連写画像であるか否かを正確に判断でき、しかも、顧客が真に望むプリントであるか否かの判断が容易に行なえる写真処理装置を提供する。  【解決手段】  画像ファイル入力部２から読み込まれた画像ファイルに付属する撮影日時データに基づいて連写画像であるか否かを判断する連写画像判別部７ｂと、前記連写画像判別部７ｂにより連写画像と判別された一連の連写シーンのコマ画像に連写マーカを付加する連写マーカ付加部７ｅと、連写マーカが付加された連写シーンのコマ画像の複数を一枚のプリント画像として撮影順に配列して編集処理する連写シーン編集部７ｊを備える。  【選択図】  図３
2005352944.tif 000002
【特許請求の範囲】
【請求項１】
画像ファイル入力部から入力され、デジタルスチルカメラにより撮影された画像ファイルを入力処理する画像ファイル入力処理部と、入力処理された画像ファイルに含まれるコマ画像を画像表示部に表示処理する画像表示処理部と、表示処理されたコマ画像に対して処理条件を設定する検定処理部とを備えてなる写真処理装置であって、
前記画像ファイルに付属する撮影日時データに基づいて連写画像であるか否かを判別する連写画像判別部を備え、前記表示処理部に、前記連写画像判別部により連写画像と判別された一連の連写シーンのコマ画像に連写マーカを付加する連写マーカ付加部を設けてある写真処理装置。
【請求項２】
前記連写画像判別部は、前記撮影日時データで示される各コマ画像の撮影時刻と予め設定されている時間間隔とに基づいて連写画像であるか否かを判別する請求項１記載の写真処理装置。
【請求項３】
前記時間間隔を可変に設定する判別条件設定部を設けてある請求項２記載の写真処理装置。
【請求項４】
前記検定処理部は、連写マーカが付加された連写シーンのコマ画像の複数を一枚のプリント画像として撮影順に配列して編集処理する連写シーン編集部を備えてある請求項１から３の何れか１項に記載の写真処理装置。
【請求項５】
前記検定処理部に、前記連写マーカ付加部により付加された前記連写マーカを解除する連写マーカ解除部を備えてある請求項１から４の何れか１項に記載の写真処理装置。
【請求項６】
前記検定処理部で設定された処理条件に基づいて処理された画像データをプリントデータに変換処理するプリントデータ変換処理部と、変換処理されたプリントデータに基づいて写真プリントを生成出力する写真プリンタを備えてある請求項１から５の何れか１項に記載の写真処理装置。
【請求項７】
前記撮影日時データは、Ｅｘｉｆのプライベートタグ領域に記録されている撮影日時データである請求項１から６の何れか１項に記載の写真処理装置。
【発明の詳細な説明】
【技術分野】
【０００１】
本発明は、画像ファイル入力部から入力され、デジタルスチルカメラにより撮影された画像ファイルを入力処理する画像ファイル入力処理部と、入力処理された画像ファイルに含まれるコマ画像を画像表示部に表示処理する画像表示処理部と、表示処理されたコマ画像に対して処理条件を設定する検定処理部とを備えてなる写真処理装置に関する。
【背景技術】
【０００２】
近年、ＳＤカードやメモリスティックなどのリムーバブルメディアの大容量化と画像処理速度の向上に伴って、デジタルスチルカメラの機能も向上し、静止画像のみならず、撮影時刻が時間的に近接した複数の静止画像でなる連写画像を撮影可能な製品も登場している。
【０００３】
このようなデジタルスチルカメラで撮影された連写画像は通常の静止画像と混在した状態でリムーバブルメディアに格納されるが、このようなリムーバブルメディアが持ち込まれた写真処理店では、注文情報に基づいて、撮影された連写画像を通常の静止画像と区別することなく一枚ずつプリント処理する必要があった。
【０００４】
しかし、連写画像を全てプリント処理するとプリント枚数が多くなり高価になる一方、連写画像からプリントに必要な画像を選別する煩雑さに鑑みて、連写画像中で最も撮影条件が良いと思われる静止画像を特別の操作を必要とせずに選択的に読出すべく、連写画像を構成する個々の静止画像に対し、その撮影条件、つまり、コントラスト値、自動合焦値、及び自動露出値などから評価値を算出する算出手段と、この算出手段により算出した評価値を対応する静止画像に付加して媒体に記録する記録手段と、前記媒体に記録された連写画像の出力を指示する指示手段と、この指示手段で指示された連写画像を構成する各静止画像に付加されている評価値に応じて静止画像を選択する選択手段と、この選択手段で選択した静止画像を上記媒体から読出して出力する出力手段を備えた電子カメラ及び画像プリンタ装置が提案されている。
【特許文献１】特開２００１−８１３５号公報
【発明の開示】
【発明が解決しようとする課題】
【０００５】
しかし、上述の従来技術では、コントラスト値、自動合焦値、及び自動露出値などに基づいて算出される評価値に基づいて自動的に選択されるものであり、被写体のポーズなど主観で判断せざるを得ないようなシーンが適切に選択されるものではなかったために、せっかくの写真プリントが無駄になる虞があった。
【０００６】
一方、リムーバブルメディアが持ち込まれた写真処理店において写真処理装置の画像表示部に全ての画像を表示させて、表示画像を夫々顧客に確認するのは非常に煩雑であり、連写画像であるか否かの判断が困難な場合も多くあり、顧客の指示通りにプリントしても仕上りプリントが必ずしも顧客の要望するものと一致するものではないという不都合もあった。
【０００７】
本発明は、上述の従来欠点に鑑み、連写画像であるか否かを正確に判断でき、しかも、顧客が真に望むプリントであるか否かの判断が容易に行なえる写真処理装置を提供する点にある。
【課題を解決するための手段】
【０００８】
上述の目的を達成するため、本発明による写真処理装置の第一の特徴構成は、特許請求の範囲の書類の請求項１に記載した通り、画像ファイル入力部から入力され、デジタルスチルカメラにより撮影された画像ファイルを入力処理する画像ファイル入力処理部と、入力処理された画像ファイルに含まれるコマ画像を画像表示部に表示処理する画像表示処理部と、表示処理されたコマ画像に対して処理条件を設定する検定処理部とを備えてなる写真処理装置であって、前記画像ファイルに付属する撮影日時データに基づいて連写画像であるか否かを判別する連写画像判別部を備え、前記表示処理部に、前記連写画像判別部により連写画像と判別された一連の連写シーンのコマ画像に連写マーカを付加する連写マーカ付加部を設けてある点にある。
【０００９】
上述の特徴構成によれば、連写画像判別部により画像ファイルに付属する撮影日時データに基づいて連写画像であるか否かが自動的に判断され、連写マーカ付加部により連写画像と判別された画像群に連写マーカが付加されて表示されるので、オペレータは当該連写マーカを認識することにより容易に連写画像であるか否かを判別することができるようになるのである。
【００１０】
同第二の特徴構成は、同請求項２に記載した通り、上述した第一特徴構成に加えて、前記連写画像判別部は、前記撮影日時データで示される各コマ画像の撮影時刻と予め設定されている時間間隔とに基づいて連写画像であるか否かを判別する点にある。
【００１１】
各画像に付属する撮影日時データに基づいて撮影時刻が特定されるが、この撮影時刻に着目して、当該撮影時刻が一定の短い時間間隔を示す複数の画像を連写画像と判断することができる。連写時間間隔はデジタルスチルカメラにより区々であるが、少なくとも予めその判別のための時間間隔を設定しておけば、機種による差を吸収して正確に連写画像であるか否かを判断することができるようになるのである。
【００１２】
同第三の特徴構成は、同請求項３に記載した通り、上述した第二特徴構成に加えて、前記時間間隔を可変に設定する判別条件設定部を設けてある点にある。
【００１３】
このように画像間の撮影時刻の間隔に基づいて連写画像であるか否かを判断するための時間間隔を可変に設定することにより、デジタルスチルカメラの機種によるばらつきを吸収して確実に連写画像であるか否かを判別することができるようになるのである。
【００１４】
同第四の特徴構成は、同請求項４に記載した通り、上述した第一から第三の何れかの特徴構成に加えて、前記画像検定処理部は、連写マーカが付加された連写シーンのコマ画像の複数を一枚のプリント画像として撮影順に配列して編集処理する連写シーン編集部を備えてある点にある。
【００１５】
連写シーンとして撮影された複数のコマ画像を一枚のプリント画像として編集処理することにより、一枚のプリントに連写シーンを示す複数のコマ画像を出力することができる。顧客は、このようなプリントに基づいて一層の臨場感を伴って写真を楽しむことができるのであり、さらには、その中の画像から特に望ましい画像を選択して一枚のプリントに出力するように注文ができるようになるのである。これにより、オペレータは、顧客の注文に基づいて連写シーンの中からプリント出力するための特定の画像を選択する作業が容易に行なえるようになるのである。
【００１６】
同第五の特徴構成は、同請求項５に記載した通り、上述した第一から第四の何れかの特徴構成に加えて、前記検定処理部に、前記連写マーカ付加部により付加された前記連写マーカを解除する連写マーカ解除部を備えてある点にある。
【００１７】
連写シーンのコマ画像であっても、被写体が移っていないとか焦点が合っていないなど、明らかにプリントを望まないような画像が混入している場合がある。また、顧客が特定のコマ画像を不要であると指摘する場合もある。上述の構成によれば、そのような場合に対応して連写シーンのコマ画像群から臨機応変に取捨選択を容易に行なうことができるようになるのである。
【００１８】
同第六の特徴構成は、同請求項６に記載した通り、上述した第一から第五の何れかの特徴構成に加えて、前記検定処理部で設定された処理条件に基づいて処理された画像データをプリントデータに変換処理するプリントデータ変換処理部と、変換処理されたプリントデータに基づいて写真プリントを生成出力する写真プリンタを備えてある点にある。
【００１９】
検定処理部で設定された処理条件に基づいて処理された画像が最終画像となり、この最終画像を写真プリンタに対応したプリントデータに変換処理して出力することにより写真プリントを仕上げることができるものである。
【００２０】
同第七の特徴構成は、同請求項７に記載した通り、上述した第一から第六の何れかの特徴構成に加えて、前記撮影日時データは、Ｅｘｉｆのプライベートタグ領域に記録されている撮影日時データである点にある。
【発明の効果】
【００２１】
以上説明した通り、本発明によれば、連写画像であるか否かを正確に判断でき、しかも、顧客が真に望むプリントであるか否かの判断が容易に行なえる写真処理装置を提供することができるようになった。
【発明を実施するための最良の形態】
【００２２】
以下に本発明による写真処理装置を説明する。デジタル方式の写真処理装置は、図１に示すように、撮影済みのネガフィルム（以下、単に「フィルム」と記す。）Ｆ等から写真画像を読み取るフィルムスキャナ１と、ＳＤカードやメモリスティックなどの各種のカード型メモリ（リムーバブルメディア）やＣＤ−ＲＯＭ、ＭＯ等の記憶媒体に対応した複数のメディアドライバＤ１，…，Ｄｎを備えた画像ファイル入力部２と、入力されたフィルムのコマ画像や画像ファイルのコマ画像を表示する画像表示部としてのモニタ３と、キーボードやマウスを備えた操作入力部４と、前記フィルムスキャナ１や前記画像ファイル入力部から入力された画像データを格納する画像データ記憶部としてのハードディスク５と、所要の画像処理が施されたコマ画像データを写真プリントとして出力する写真プリンタ６と、それらをシステムとして制御するシステムコントローラ７（以下、「コントローラ７」と記す。）を備えて構成される。
【００２３】
図２に示すように、前記写真プリンタ６は、ロール状の印画紙Ｐが収容されたペーパーマガジン６０と、前記ペーパーマガジン６０から印画紙Ｐを引き出して搬送する複数の印画紙搬送ローラ６１と、搬送ローラ６１を駆動するモータ６２と、搬送される印画紙Ｐの感光面を露光する蛍光ビーム方式のプリントヘッド６３と、露光済みの印画紙に現像、漂白、定着の各処理を施す現像処理部６４と、現像処理された印画紙を乾燥しながら搬送する乾燥部６５と、乾燥された印画紙Ｐを最終のプリントとして排出する排出部６６とを備えて構成される。前記ペーパーマガジン６０から引き出された印画紙Ｐは現像処理の前後何れかに配置されたカッター（図示せず）によって所定のプリントサイズにカットされて排出部６６に出力される。
【００２４】
前記プリントヘッド６３は、印加電圧の調節により出力を調整されるレーザー露光装置によって構成される。Ｒ色、Ｇ色、Ｂ色のレーザー光を、印画紙の搬送方向と垂直な主走査方向に掃引することで、印画紙上に画像を生成する。フィルムスキャナ１で読み取られたＲ成分、Ｇ成分、Ｂ成分の各画像データに基づいて各レーザー露光装置に駆動制御を行ない、印画紙が露光される。
【００２５】
前記フィルムスキャナ１は、フィルムＦに読取用の照明光を照射する照明光学系１０、フィルムＦを搬送するフィルム搬送部２０と、当該フィルム搬送部２０により搬送されたフィルムＦに記録されたコマ画像を読み取る画像読取部３０と、前記照明光学系１０、前記フィルム搬送部２０及び前記画像読取部３０による画像読取プロセスを制御する画像読取プロセス制御手段４０を備えて構成され、前記画像読取プロセス制御手段４０と前記コントローラ７とがシステム動作を制御する制御信号ラインＬ１で接続されるとともに、前記画像読取部３０と前記コントローラ７とが画像データを送信する画像信号ラインＬ２で接続されている。
【００２６】
前記照明光学系１０は、フィルムＦの搬送方向である副走査方向（図２で矢印で示す）に直交する主走査方向に沿って配置した棒状のハロゲンランプ１１と、ハロゲンランプ１１からの光線束の色分布を調整する調光フィルタ１２と、同光線束をスリット状に集光するシリンドリカルレンズ１３と、強度分布を均一にする拡散板１４と、幅狭のスリット１５を備えて構成され、主走査方向に沿ったスリット光によりフィルムを照射する。尚、拡散板１４及びスリット１５は後述のフィルム搬送機構２０に取り付けてある。
【００２７】
前記フィルム搬送機構２０は、フィルムＦを前記スリット１５の直下のフィルム投影部に向けて搬送する複数の搬送ローラ対２１と、搬送ローラ対２１を駆動するモータ２２を備えて構成され、フィルムＦは前記画像読取プロセス制御手段４０により所定速度で搬送制御される。
【００２８】
前記画像読取部３０は、集光レンズ、ＣＣＤラインセンサ（以下、「ラインセンサ」と記す。）、サンプルホールド回路、Ａ／Ｄ変換器等を備えて構成してあり、フィルムＦを透過した前記照明光学系１０からのスリット光が集光レンズによりラインセンサ上に結像され、ラインセンサにより読み取られたアナログ信号がＡ／Ｄ変換器によりデジタルデータに変換されるように構成されている。前記ラインセンサは、透過光のＲ成分、Ｇ成分、Ｂ成分の各成分の光を選択的に通過させるカラーフィルタが夫々設けられた３列のラインセンサで構成され、以ってフィルム上の各コマ画像がフィルムＦの搬送に伴って、Ｒ成分、Ｇ成分、Ｂ成分の各色成分に分解して読み込まれる。
【００２９】
前記コントローラ７によりフィルム読取指令が送られると、前記画像読取プロセス制御手段４０は、前記ハロゲンランプ１１を点灯させた後に、前記フィルム搬送機構２０によりフィルムＦを所定速度で搬送させ、前記画像読取部３０によりフィルム上に記録されたコマ画像を順次読み取り、読み取った画像データを画像信号ラインＬ２を介して前記コントローラ７に送信する。受信した画像データはハードディスク５に記憶される。
【００３０】
また、前記コントローラ７による制御の下で、前記画像ファイル入力部２にメディアが挿入されると、当該メディアに記憶されている画像ファイルが読み込まれて前記ハードディスク５に記憶される。
【００３１】
前記ハードディスク５に記憶されたコマ画像データに所定の画像処理が施され、当該コマ画像データに基づいて駆動されるプリントヘッド６２により露光された印画紙Ｐが現像処理されて写真プリントとして出力される。
【００３２】
前記コントローラ７は、ＣＰＵ、ＲＯＭ、データ処理領域として使用されるＲＡＭ、画像データ編集のために使用されるＲＡＭ、メディアドライバやモニタ３機器との接続のためのＩ／Ｆ回路等でなるマイクロコンピュータシステムを主要部として構成され、前記モニタ３に表示された各種情報に従った操作入力部４からの入力操作に基づいて、上述のフィルムスキャナ１、画像ファイル入力部２、写真プリンタ７の各ブロックを所定の手順で制御して動作させる。
【００３３】
前記コントローラ７を機能ブロックに分割して説明すると、図３に示すように、前記フィルムスキャナ１から入力された画像データをオーダー単位に編集した画像ファイル、または、前記画像ファイル入力部２から入力され、デジタルスチルカメラにより撮影された画像ファイルを前記ハードディスク５に格納処理（入力処理）する画像ファイル入力処理部７ａと、入力処理された画像ファイルに含まれるコマ画像をモニタ３に表示処理する画像表示処理部７ｄと、表示処理されたコマ画像に対して前記操作入力部４を介して処理条件を設定する検定処理部７ｆと、前記検定処理部７ｆで設定された処理条件に基づいて各画像データを補正処理する画像補正処理部７ｋと、連写マーカが付加された連写シーンのコマ画像の複数を一枚のプリント画像として撮影順に配列して編集処理する連写シーン編集部７ｊと、画像補正処理が行なわれた画像データをプリントデータに変換処理するプリントデータ変換処理部７ｌなどを備えて構成される。
【００３４】
前記画像ファイル入力処理部７ａには、前記画像ファイル入力部２から入力された画像ファイルに付属する撮影日時データに基づいて連写画像であるか否かを判断する連写画像判別部７ｂを備えてあり、前記撮影日時データで示される各コマ画像の撮影時刻と予め設定されている時間間隔とに基づいて連写画像であるか否かを判別する。つまり、各コマ画像の撮影時刻の間隔が設定時間間隔よりも短いコマ画像が連写画像と判別される。前記設定時間間隔は、判別条件設定部７ｃにより可変に設定可能に構成されている。
【００３５】
前記表示処理部７ｄに、前記連写画像判別部７ｂにより連写画像と判別された一連の連写シーンのコマ画像に連写マーカを付加する連写マーカ付加部７ｅを設けてあり、当該連写マーカ付加部７ｅは、前記ハードディスク５に記憶された画像データに対応する画像を前記モニタ３に表示する際に連写マーカを付加して表示するように構成される。
【００３６】
前記検定処理部７ｆは、前記モニタ３に表示されたコマ画像に対するプリントサイズやプリント枚数などのプリント条件を設定するプリント条件設定部７ｇと、各コマ画像に対する色補正や階調補正などの条件を設定する画像補正条件設定部７ｈと、前記連写マーカ付加部７ｅにより付加された連写マーカを解除する連写マーカ解除部７ｉなどを備えて構成される。
【００３７】
以下、前記コントローラ７の各機能ブロックにより実行される写真処理動作を、本発明を中心として説明する。図４に示すように、デジタルスチルカメラで撮影された連写シーンを含む画像データファイルが収容されたリムーバブルメディアが対応するメディアドライバに挿入されると、前記画像ファイル入力処理部７ａは、当該メディアドライバから読み出されたファイルを認識して前記ハードディスク５にセーブする（Ｓ１，Ｓ２）。
【００３８】
当該画像ファイルは、図５に示すように、ＩＳＯ規格のＥｘｉｆ（ｅｘｃｈａｎｇｅａｂｌｅ  ｉｍａｇｅ  ｆｉｌｅ  ｆｏｒｍａｔ）フォーマットによるＪＰＥＧベースライン方式に基づく圧縮ファイル、または、非圧縮のＴＩＦＦファイルで構成され、圧縮ファイルの場合にはアプリケーション・マーカセグメントＡＰＰ１のＤＳＣ（ｄｉｇｉｔａｌ  ｓｔｉｌｌ  ｃａｍｅｒａ）付属情報、ＴＩＦＦファイルの場合にはＴＩＦＦヘッダ部に区画されたプライベートタグ領域に、原画像を生成した入力機器のメーカ、機種名、画像特性などのパラメータ、さらには原画像の撮影日時データなどの付属情報が夫々タグ形式で記録されている。
【００３９】
前記連写画像判別部７ｂは、当該付属情報に基づいて各画像ファイルの撮影日時データと前記判別条件設定部７ｃで設定された時間に基づいて連写画像であるか否かを判別してチェックする。つまり、連続する画像の各撮影時刻から前記設定時間よりも短い間隔で撮影された一連の画像データを連写画像と判別して（Ｓ３，Ｓ４）、連写画像にはその旨を示すフラグデータを例えば当該付属情報領域に書き込む（Ｓ５）。
【００４０】
前記画像表示処理部７ｄは、このようにしてハードディスクにセーブされた画像ファイルのＤＳＣ付属情報領域に記録されているサムネイルデータを読み出して前記モニタ３の画面に所定のコマ数ずつサムネイル画像を表示処理して検定処理部７ｆを作動させる。一画面に表示可能なサムネイル画像数は適宜設定可能である（Ｓ６）。このとき、前記連写マーカ付加部７ｅは、前記フラグデータに基づいて連写画像と判断される複数のコマ画像に連写マーカを付加して表示処理する（Ｓ７）。当該連写マーカは、例えば図５中、長円Ｃ０で囲まれた範囲に示すように、表示されたサムネイル画像の右下にチェックマークＭが書き込まれたチェックボックスとして表示される。オペレータは、前記連写マーカとしてのチェックマークＭが表示されたモニタ３の画面を目視することにより、一連の連写画像を認識できるようになる。尚、連写マーカの具体的表示態様はこれに限るものではない。つまりここでいう連写マーカを付加するということは、上述の実施の形態で示した単なるマーカに限らず、連写コマがどのコマであるかを特定するものであれば、どのようなものでもよい。連写コマを赤枠で囲って明示したり、他のコマと比べて色調を変えて表現したりするものでもよいこととする。
【００４１】
このように表示されたサムネイル画像に対して前記検定処理部７ｆにより画像の検定処理が行なわれる。オペレータが表示されたチェックボックスをマウスでクリックすると、前記連写マーカ解除部７ｉが作動して当該チェックマークＭを消去して連写マーカが解除され、再度クリックすると当該チェックマークＭが表示される。当該チェックマークＭが付加された画像が後述の連写シーン編集部７ｊによる編集対象画像となる。
【００４２】
オペレータが、前記操作入力部４を介してプリントチャンネル表示欄Ｃ１をクリックするとプリント条件設定部７ｇが作動し、チャンネルナンバーがプルダウンメニュー表示され、適切なチャンネルナンバーをクリックすることによりプリントチャンネルが設定される。
【００４３】
プリントチャンネルとは、予め入力メディア、プリントの種類、印画紙サイズなど、作成するプリントに合わせて設定されたチャンネルをいい、各チャンネルには、入力メディア情報、通常プリントかアルバムプリントか編集プリントかといったプリントタイプ情報、編集プリントである場合にはその種別情報（例えばポストカード、証明写真、名刺など）、印画紙の紙幅や面質情報、プリントサイズ情報、画像の自動補正モード設定情報などの各種の情報がプリント情報として設定されている。これらプリント情報は、初期設定時にチャンネル０から順に所定数のチャンネル毎に個別に設定されるものである。従って、プリントチャンネルが設定されると、原画像から印画紙にプリント出力するための出力画像サイズが決まり、その結果、画像の拡縮率などが決定される。
【００４４】
各サムネイル画像上の右下に表示されるプリント枚数設定部Ｃ３をクリックするとプリント枚数の設定入力が可能になり、プリント枚数に対応する数値キーを入力するとその画像のプリント枚数が設定される（Ｓ９）。
【００４５】
任意の画像をダブルクリックすると画像補正条件設定部７ｈが作動されて、当該画像を画面の右側中央下部に拡大表示し、黄、マゼンダ、シアン、白のカラー補正が可能になる。拡大画面で各色に対応して設けられたカラー調整ボタンＣ２をクリックすると「−２」、「−１」、「Ｎ」、「＋１」、「＋２」の五段階の選択ボタンが表示され、対応するボタンをクリックすることにより各色の濃淡が段階的に調整されて画像が更新表示される（Ｓ１０）。濃淡調整された色補正データは原画像の処理に反映させるべくコントローラ７の内部メモリに格納される。
【００４６】
このようにして全画像の検定処理が終了して、画面右下のスタートボタンがクリックされると（Ｓ１１）、前記ハードディスク５に記憶された画像ファイルの画像データが順番に読み出され、画像補正処理部７ｋにより上述の内部メモリに格納された色補正データに基づく補正処理及び拡縮処理が行なわれる（Ｓ１２）。さらに、図７に示すように、連写シーン編集部７ｊにより、連写マーカが付加された連写シーンのコマ画像の複数が一枚のプリント画像として撮影順に配列されるように編集処理される（Ｓ１３）。ここに、連写シーンは一連のコマ画像毎に一枚の印画紙に撮影順にレイアウトされるように処理されるもので、当該コマ画像数に応じて拡縮率が決定されるように構成するものであってもよい。また、連写マーカＭが解除されたコマ画像は連写画像と認識されず、当該コマ画像を除く他の一連のコマ画像が連写画像として一枚の印画紙に撮影順にレイアウトされるように処理されることはいうまでもない。さらに、各画像にコマ画像を特定するＩＤデータが付加された状態で編集処理されるものでもよい。
【００４７】
このように編集処理された最終の画像データは、前記プリントデータ変換部７ｌにより前記写真プリンタ６に使用しているプリントヘッド６３に対応したデータ形式に変換処理されて出力され（Ｓ１４）、写真プリントとして出力される（Ｓ１５）。
【００４８】
顧客は、このようにして仕上がった連写シーンの写真プリントを見て、何れのコマ画像を一枚のプリントにするのがよいのかを明確に判断することができるようになるのであり、また、臨場感を伴った写真鑑賞を行なうことができるようになる。
【００４９】
上述した判別条件設定部７ｃは、写真処理装置の各種の機能を作動させる条件などを設定するための機能設定処理部（図示せず）の一部として構成され、前記モニタ３に表示される機能設定画面から設定時間間隔が設定入力できる。具体的には、図８に示すように、機能設定画面のプリント動作設定タブ画面の長円Ｃ４で囲まれた領域に表示される連写シーン判定時間間隔の数値設定用のアップダウンキーを操作することにより１００ミリ秒間隔で可変に設定され、当該数値が前記判別条件設定部７ｃに記憶される。
【００５０】
また、少なくとも前記連写シーン編集部７ｊを作動させるか否かが、選択されたプリントチャンネルに依存するように構成されている。つまり、プリントチャンネル設定画面のインデックス設定タブ画面で、図９に示す長円Ｃ５で囲まれた領域に表示される連写シーンプリント出力有無のチェックボックスに、チェックマークが入っている場合にのみ前記連写シーン編集部７ｊが作動するように構成してある。従って、選択されたプリントチャンネルが連写シーンプリント出力無しに設定されている場合には、前記連写シーン編集部７ｊが作動せず、連写シーンであっても個々にプリント出力される。つまり、プリントチャンネル設部が前記連写シーン編集部７ｊの作動の許否を設定する作動条件設定部となる。
【００５１】
以下に本発明の別実施形態を説明する。上述した実施形態では、フィルムスキャナ１が装着された写真処理装置について説明したが、本発明による写真処理装置にフィルムスキャナ１が接続される必要性は必ずしもない。
【００５２】
上述した実施形態では、写真処理装置に写真プリンタを接続した写真処理機のモニタに実現されるものを説明したが、写真プリンタが接続されず、写真注文受付処理のみ可能な写真受付端末のモニタ画面に適用されるものであってもよいことはいうまでもない。
【００５３】
上述した実施形態では、画像補正条件設定部７ｈにより、連写マーカが付加されたコマ画像であっても画像単位で色補正処理が可能なものを説明したが、連写マーカが付加された一連の連写画像に対しては、一画像に対する色補正処理の条件を全ての画像に共通に反映させることも可能である。
【００５４】
上述した実施形態は、本発明の一実施形態に過ぎず、該記載により本発明の範囲が限定されるものではない。
【図面の簡単な説明】
【００５５】
【図１】写真処理装置の外観説明図
【図２】写真処理装置のブロック構成図
【図３】写真処理装置のシステムコントローラの機能ブロック構成図ブロック構成図写真プリントの処理手順を示すフローチャート
【図４】写真処理手順を説明するフローチャート
【図５】Ｅｘｉｆフォーマットによる画像ファイルの説明図
【図６】画像検定画面の説明図
【図７】連写シーンを一枚のプリント画像として撮影順に配列した説明図
【図８】判別条件設定部による条件設定画面の説明図
【図９】プリントチャンネル設定画面の説明図
【符号の説明】
【００５６】
２：画像ファイル入力部（メディアドライバ）
３：画像表示部（モニタ）
４：操作入力部
５：画像データ記憶部（ハードディスク）
６：写真プリンタ
７：システムコントローラ
７ａ：画像ファイル入力処理部
７ｂ：連写画像判別部
７ｃ：判別条件設定部
７ｄ：画像表示処理部
７ｅ：連写マーカ付加部
７ｆ：検定処理部
７ｇ：プリント条件設定部
７ｈ：画像補正条件設定部
７ｉ：連写マーカ解除部
７ｊ：連写シーン編集部
【図１】
2005352944.tif 000003
【図２】
2005352944.tif 000004
【図３】
2005352944.tif 000005
【図４】
2005352944.tif 000006
【図５】
2005352944.tif 000007
【図６】
2005352944.tif 000008
【図７】
2005352944.tif 000009
【図８】
2005352944.tif 000010
【図９】
2005352944.tif 000011